(57)【要約】【課題】  簡易かつ小型な筆記用具を提案する。【解決手段】  光照射部５の発光素子６からの紫外線照射光をペン先３及びその周囲を照射しながらペン先３によって文字等を筆記するにつき、電池ホルダ２１に保持された電池２５Ａ、２５Ｂに対して発光素子６のリード線６Ａ、６Ｂを直接又は導電性スプリング３０を介して接続することにより、全体として簡易かつ小型な構造の筆記用具１を実現できる。【選択図】        図６
0003103169.tif 000002
【実用新案登録請求の範囲】
【請求項１】
ペン本体部の一側面に光照射部を突出するように設け、上記光照射部の先端に設けた発光素子からの照射光を上記ペン本体部のペン先及びその周辺に照射させる光照射型の筆記用具であって、
上記光照射部は電池を保持する電池ホルダを摺動自在に配設した電池室を有し、上記電池ホルダをオン摺動位置に摺動させたとき上記電池の電極を上記発光素子のリード線に直接に接触させることにより、上記発光素子を発光動作させ、かつ上記電池ホルダをオフ摺動位置に摺動させたとき上記電池の電極を上記発光素子のリード線から離間させることにより上記発光素子を発光動作させなくする
ことを特徴とする筆記用具。
【請求項２】
上記発光素子の一方のリード線を常に上記電池の一方の電極に摺動するように接触させ、かつ上記電池ホルダが上記オン摺動位置に摺動したとき上記発光素子の他方のリード線を上記電池の他方の電極に直接に接触させ、かつ上記電池ホルダが上記オフ摺動位置に摺動したとき上記発光素子の上記他方のリード線を上記電池の上記他方の電極から離間させる
ことを特徴とする請求項１に記載の筆記用具。
【請求項３】
ペン本体部の一側面に光照射部を突出するように設け、上記光照射部の先端に設けた発光素子からの照射光を上記ペン本体部のペン先及びその周辺に照射させる光照射型の筆記用具であって、
上記光照射部は電池を保持する電池ホルダを摺動自在に配設した電池室を有し、上記電池ホルダをオン摺動位置に摺動させたとき上記電池の電極を上記発光素子のリード線に取り付けられた導電性スプリングに対して当該導電性スプリングの弾発力によって接触させることにより上記発光素子を発光動作させ、かつ上記電池ホルダをオフ摺動位置に摺動させたとき上記電池の電極を上記導電性スプリングから離間させることより、上記発光素子を発光動作させなくする
ことを特徴とする筆記用具。
【請求項４】
上記発光素子の一方のリード線を常に上記電池の一方の電極に摺動するように接触させると共に、上記電池ホルダが上記オン摺動位置に摺動したとき上記電池の他方の電極を上記発光素子の他方のリード線に巻き付け保持された上記導電性スプリングに対して接触させ、かつ上記電池ホルダが上記オフ摺動位置に摺動したとき上記他方の電極を上記導電性スプリングから離間させる
ことを特徴とする請求項３に記載の筆記用具。
【考案の詳細な説明】
【技術分野】
【０００１】
本考案は筆記用具に関し、特にペン先及びその周辺を光源から照射するようにした光照射型筆記用具に適用して好適なものである。
【背景技術】
【０００２】
筆記用具として、ペン本体において紫外線感応性インク（紫外線を照射すると発光するインク）で書いた文字等に紫外線照射光を照射することにより、当該文字等を見ることができるのに対して、照射光を照射しないようにすれば、今まで見えていた文字等を見えなくするようにできる光照射型筆記用具が提案されている。
【考案の開示】
【考案が解決しようとする課題】
【０００３】
ところで、かかる構成の光照射型筆記用具においては、筆記用具本来の筆記機能の点からみて全体としての構成を大き過ぎないようにする必要があると共に、書かれた文字等を発光させるのに十分な光量の照射光を照射する必要がある。
【０００４】
本考案は以上の点を考慮してなされたもので、大き過ぎないようにできる、簡易な構成の筆記用具を提案しようとするものである。
【課題を解決するための手段】
【０００５】
かかる課題を解決するため本考案においては、ペン本体部２の一側面に光照射部５を突出するように設け、光照射部５の先端に設けた発光素子６からの照射光をペン本体部２のペン先３及びその周辺に照射させる光照射型の筆記用具１であって、光照射部５は電池２５Ａ、２５Ｂを保持する電池ホルダ２１を摺動自在に配設した電池室１３を有し、電池ホルダ２１をオン摺動位置（図６）に摺動させたとき電池２５Ａ、２５Ｂの電極を、発光素子６のリード線６Ａ及び６Ｂに直接に接触させることにより発光素子６を発光動作させ、又はリード線６Ａ及びリード線６Ｂに巻き付き保持された導電性スプリング３０に接触させることにより発光素子６を発光動作させ、かつ電池ホルダ２１をオフ摺動位置（図５）に摺動させたとき電池２５Ａ、２５Ｂの電極を発光素子６のリード線６Ｂ又は導電性スプリング３０から離間させることにより発光素子６を発光動作させなくする。
【考案の効果】
【０００６】
本考案によれば、ペン本体部と一体に形成された光照射部において、紫外線照射光を発光する発光素子のリード線に対して電池を保持する電池ホルダを摺動させることにより、当該リード線を直接に、又は導電性スプリングを介して、電池の電極に接触させ又は離間させ、これにより発光素子を発光動作させると共に、その発光素子の照射光を直接にペン本体部のペン先及びその周辺に照射させるようにしたことにより、全体として簡易な構造によって筆記するのに便利な大きさをもつ筆記用具を実現できる。
【考案を実施するための最良の形態】
【０００７】
以下図面について、本考案の一実施の形態を詳述する。
【０００８】
図１ないし図４において、１は全体として筆記用具を示し、円筒状ペン本体部２内に保持されている紫外線感応性インクがペン先３に供給されることにより、ペン本体部２を手にしたユーザが、ペン本体部２の後端部に設けられたペン先突出操作部４を操作することによりペン先３をペン本体部２から突出させた状態で、筆記用紙に文字等を筆記できるようになされている。
【０００９】
ペン本体部２の上側面には、ペン本体部２の中心軸線に沿う方向に延長しかつ上方に突出する光照射部５が設けられており、その先端に設けられた発光素子６からの紫外線照射光ＬＡがペン本体部２の中心軸線から上方に離間した位置から斜めにペン先３及びその周辺を照射できるようになされている。
【００１０】
光照射部５は、図５及び図６に示すように、ペン本体部２の中心軸線に沿うように延長する底面１０と、底面１０と対向するように延長する上面１１とを有する筐体１２をペン本体部２と一体に合成樹脂材料を成形することにより電池室１３を形成すると共に、筐体１２の先端部にＬＥＤ（light  emitting  device)でなる発光素子６を取り付ける取付部１４が形成されている。
【００１１】
実際上ペン本体部２及び光照射部５の筐体１２は、図４の仮想線４−４で示すように、先端のペン先３側から見て前側及び後側に前側半体１５Ｒ及び後側半体１５Ｌに２分割され、前側半体１５Ｒ及び後側半体１５Ｌを嵌め合わせることによりペン本体部２及び光照射部５を一体に組み立てる。
【００１２】
電池室１３には、電池ホルダ２１が、電池室１３内を、根元側から先端側の方向に又はその逆方向に、摺動できるように収納されている。
【００１３】
電池ホルダ２１は、図８（Ａ）〜（Ｃ）に示すように、先端側に円環形状の電池保持部２１Ａを有し、この電池保持部２１Ａの根元側面から板状の案内板部２１Ｂが突出している。
【００１４】
案内板部２１Ｂの前表面には、四角柱状操作子２１Ｃが前方に突出するように設けられ、これが筐体１２の前側半体１５Ｒに穿設された操作子窓２１Ｄ（図１）を通って前側半体１５Ｒの外側に突出し、これによりユーザが操作子２１Ｃを指でつまんで摺動させることにより、電池ホルダ２１を先端方向摺動位置（図６の摺動位置で、オン摺動位置と呼ぶ）又は根元方向摺動位置（図５の摺動位置で、オフ摺動位置と呼ぶ）に移動できるようになされている。
【００１５】
図８（Ａ）〜（Ｃ）に示すように、案内板部２１Ｂの根元側端部には断面長方形状の係合溝２１Ｄが形成され、その根元側端の中央部が切り取られることにより一対の係合脚２１Ｅ１及び２１Ｅ２が形成され、当該係合溝２１Ｄは筐体１２の前側半体１５Ｒ及び後側半体１５Ｌ間に橋架された係合子２３（図５、図６）を摺動自在に挟み込むように構成されている。
【００１６】
係合子２３は、図９に示すように、断面長方形状を有し、その先端部の両面に一対の凹部２３Ａ１及び２３Ａ２を有すると共に、その少し根元側位置に同様の一対の凹部２３Ｂ１及び２３Ｂ２を有する。
【００１７】
これに対して、一対の係合脚２１Ｅ１及び２１Ｅ２の相対向する内側面には、凹部２３Ａ１及び２３Ａ２、並びに２３Ｂ１及び２３Ｂ２に係合する一対の凸部２１Ｆ１及び２１Ｆ２が形成され、これにより係合脚２１Ｅ１及び２１Ｅ２の凸部２１Ｆ１及び２１Ｆ２が先端側の凹部２３Ａ１及び２３Ａ２に嵌まり込んだとき（図６の状態になったとき）、電池ホルダ２１が先端側摺動位置（すなわちオン摺動位置）に位置決めされる。
【００１８】
これに対して係合脚２１Ｅ１及び２１Ｅ２の凹部２１Ｆ１及び２１Ｆ２が根元側の凹部２３Ｂ１及び２３Ｂ２に嵌まり込んだとき（図５の状態になったとき）、電池ホルダ２１が根元側摺動位置（すなわちオフ摺動位置）に位置決めされる。
【００１９】
この実施の形態の場合、円環状の電池保持部２１Ａ（図８（Ａ））の上下方向の両端面が筐体１２の上面１１及び底面１０に沿うようにほぼ平行に削りとられることにより一対の摺動面２１Ｇ１及び２１Ｇ２が形成され、この摺動面２１Ｇ及び２１Ｇ２が筐体１２の上面１１及び底面１０によって摺接して案内されることにより、係合子２３の案内動作と共動しながら電池ホルダ２１が操作子２１Ｃの操作に応じて先端方向摺動位置（すなわちオン摺動位置）又は根元方向摺動位置（すなわちオフ摺動位置）への摺動動作を高い精度で行わせることができる。
【００２０】
電池ホルダ２１の電池保持部２１Ａには、図７に示すように、２つのボタン電池２５Ａ及び２５Ｂが２段に重ねられて収納され、その正側電極に、筐体１２の取付部１４に取り付けられた発光素子６の正極側リード線６Ａが、筐体１２に設けられた案内溝１２Ａによって案内されながら、摺接するように接続されている。
【００２１】
これに対して、電池保持部２１Ａのうち、発光素子６の負極側リード線６Ｂに対応する位置に当該負極側リード線６Ｂを導入する導入溝２１Ｈが穿設されている。
【００２２】
負極側リード線６Ｂは、電池ホルダ２１がオン摺動位置に摺動されたとき、図７に示すように、その根元側端（図７の右端）がボタン電池２５Ａには届かない長さに選定されているのに対して、負極側リード線６Ｂの周囲にこれと導通するように導電性スプリング３０が巻き付け保持されている。
【００２３】
導電性スプリング３０の長さは、電池ホルダ２１が先端側に摺動したとき（図７の摺動位置にあるとき）、導電性スプリング３０の根元側端（図７の右端）がボタン手位置２５Ａの電極を形成するケース壁面に弾力的に当接するのに対して、電池ホルダ２１が根元側端の摺動位置に摺動したとき、導電性スプリング３０の根元側端がボタン電池２５Ｂのマイナス電極と離間するように、選定されている。
【００２４】
かくして、電池ホルダ２１がオン摺動位置（図７の左方摺動位置）にあるとき、正極側リード線６Ａ及び導電性スプリング３０が、同時に、ボタン電池２５Ａ及び２５Ｂの正側電極及び負側電極に接触していることにより発光素子６に電源が与えられ、その結果発光素子６が発光するのに対して、電池ホルダ２１がオフ摺動位置（図７の右方摺動位置）にあるときには、導電性スプリング３０がボタン電池２５の負側電極から離間していることにより、ボタン電池２５Ａ及び２５Ｂが発光素子６に接続されない状態になり、その結果発光素子６が発光せずに消えた状態になる。
【００２５】
以上の構成において、ユーザが操作子２１Ｃを操作することによりこれを先端側摺動位置に切り換えると、電池ホルダ２１がオン摺動位置に摺動することにより導電性スプリング３０の先端がボタン電池２５Ａに接触した状態になることにより、発光素子６が発光する。
【００２６】
このときユーザが、ペン本体部２を手に持って筆記用紙に字等を書くと、ペン先３から供給される紫外線感応性インクが筆記用紙に供給されることにより、文字などが書かれる。
【００２７】
このとき発光素子６は紫外線照射光をペン先３及びその周辺に照射することにより、筆記用紙に供給された紫外線感応性インクが発光し、その結果書かれた文字等をユーザが見ることができる。
【００２８】
これに対して、ユーザが操作子２１Ｃを根元側摺動位置に摺動させると、電池ホルダ２１がオフ摺動位置に摺動することにより、導電性スプリング３０の先端がボタン電池２５Ａから離間し、これによりボタン電池２５Ａ及び２５Ｂが発光素子６に接続されない状態になるので、発光素子６から紫外線照射光が照射されない状態になる。このとき筆記用紙に筆記された紫外線感応性インクが発光しなくなることにより、ユーザは筆記用紙に書きつけた文字等や、その後書き足した文字等を見ることができない状態になる。
【００２９】
以上の構成によれば、ボタン電池２５Ａ及び２５Ｂを発光素子２６に接続する手段として、導電性スプリング３０を用いるようにしたことにより、導電性スプリング３０がその弾発力によって確実にボタン電池２５Ａに接触する。従ってユーザの操作子２１Ｃの操作に対して、安定性良く発光素子６のリード線を電池に接続することができる。
【００３０】
かくするにつき、発光素子６のリード線６Ａ及び６Ｂをボタン電池２５Ａ及び２５Ｂに接続する構成として、リード線を直接的にボタン電池に接続する簡易な構成で済む。
【００３１】
これに加えて、発光素子６の紫外線照射光ＬＡを発光素子６から直接にペン先及びその周囲に照射することができることにより、発光素子６から照射された紫外線照射光を効率良く（途中に減衰要素が介在しないため）筆記用紙を照射することができ、これによりボタン電池２５Ａ及び２５Ｂの容量として当該減衰分を予定しないで済む分小さくすることができる。
【００３２】
さらに、発光素子６のボタン電池２５Ａ及び２５Ｂに対するオン・オフ動作、及び発光素子６からの紫外線照射光の照射構成を簡易にしたことにより、ペン本体部２に付属させるべき光照射部５の構成を全体として、大き過ぎない程度に、小型化できる。
【００３３】
なお上述の実施の形態においては、負極側リード線６Ｂを導電性スプリング３０を介してボタン電池２５Ａに接続するようにしたが、これに代え、正極側リード線６Ａ側に導電性スプリング３０を取り付けるようにしても、上述の場合と同様の効果を得ることができる。
【００３４】
また上述の実施の形態においては、負極側リード線６Ｂを導電性スプリング３０を介してボタン電池２５Ａに接触させるようにしたが、これに代え、この負極側リード線６Ｂの長さを、電池ホルダ２１の先端側摺動位置への摺動に高い精度で合わせ込むことにより、発光素子６の負極側リード線６Ｂを直接にボタン電池２５Ａに接触させるようにしても、上述の場合と同様の効果を得ることができる。
【産業上の利用可能性】
【００３５】
本考案は発光素子の照射光をペン先及びその周辺に照射しながらペン本体部によって文字等を書く筆記用具に適用できる。
【図面の簡単な説明】
【００３６】
【図１】本考案による筆記用具の正面構造を示す正面図である。
【図２】図１の背面構造を示す背面図である。
【図３】図１の平面構造を示す平面図である。
【図４】図１の先端構造を示す側面図である。
【図５】光照射部のオフ状態を示す断面図である。
【図６】光照射部のオン状態を示す断面図である。
【図７】発光素子と電池との電気的な接続構造を示す断面図である。
【図８】（Ａ）、（Ｂ）及び（Ｃ）は電池ホルダの正面、平面及び側面構造を示す正面図、平面図及び側面図である。
【図９】係合脚と係合子との係合動作の説明に供する部分的拡大図である。
【符号の説明】
【００３７】
１……筆記用具、２……ペン本体部、３……ペン先、４……ペン先突出操作部、５……光照射部、６……発光素子、１０……底面、１１……上面、１２……筐体、１３……電池室、１４……取付部、２１……電池ホルダ、２１Ａ……電池保持部、２１Ｂ……案内板部、２１Ｃ……操作子、２１Ｄ……係合溝、２１Ｅ１、２１Ｅ２……係合脚、２１Ｆ１、２１Ｆ１……凸部、２３……係合子、２３Ａ１、２３Ａ２、２３Ｂ１、２３Ｂ２……凹部、２５Ａ、２５Ｂ……ボタン電池、３０……導電性スプリング。
【図１】
0003103169.tif 000003
【図２】
0003103169.tif 000004
【図３】
0003103169.tif 000005
【図４】
0003103169.tif 000006
【図５】
0003103169.tif 000007
【図６】
0003103169.tif 000008
【図７】
0003103169.tif 000009
【図８】
0003103169.tif 000010
【図９】
0003103169.tif 000011